(57)【要約】      （修正有）【課題】固有情報である鍵情報を、無線通信システムを使用してランダム情報として定期的に更新することでセキュリティ性を向上させる鍵情報提供システムを提供する。【解決手段】位置検出機能を有する無線通信装置２と、錠の解錠又は施錠処理を行う錠装置に接続された通信装置と、該通信装置を内包する管理エリア４を管理する管理サーバ３とを具備し、該管理サーバは前記無線通信装置から取得した位置情報に基づき、前記無線通信装置を前記管理エリア内に検出すると、前記無線通信装置と前記通信装置のそれぞれに対応する鍵情報を送信し、前記通信装置が前記管理サーバから受信した鍵情報と対応する鍵情報を前記無線通信装置から受信することで前記錠装置が解錠又は施錠処理を行う。【選択図】図１
2010226435.tif 000002
【特許請求の範囲】
【請求項１】
位置検出機能を有する無線通信装置と、錠の解錠又は施錠処理を行う錠装置に接続された通信装置と、該通信装置を内包する管理エリアを管理する管理サーバとを具備し、該管理サーバは前記無線通信装置から取得した位置情報に基づき、前記無線通信装置を前記管理エリア内に検出すると、前記無線通信装置と前記通信装置のそれぞれに対応する鍵情報を送信し、前記通信装置が前記管理サーバから受信した鍵情報と対応する鍵情報を前記無線通信装置から受信することで前記錠装置が解錠又は施錠処理を行うことを特徴とする鍵情報提供システム。
【発明の詳細な説明】
【技術分野】
【０００１】
本発明は、無線通信システムを使用して携帯端末に鍵情報を提供する鍵情報提供システムに関するものである。
【背景技術】
【０００２】
一部の車等では、無線通信機に組込まれた鍵を使用することで、穴に鍵を差込むことなくドアの開閉を行うことができる技術が組込まれている。前記無線通信機は携帯電話等でもよく、該携帯電話に車の鍵情報を登録しておくことで、前記携帯電話を用いて車のドアの開閉を行うことも可能である。
【０００３】
又、前記無線通信機を組込んだ鍵は自宅等の建物に於いても適用でき、鍵情報を登録した携帯電話を用いて建物のドアの開閉を行うことも可能である。
【０００４】
一方で、前記無線通信機に記録されているのは固定した鍵情報であり、前記無線通信機側から常に同じ鍵情報を送信する片方向通信である為、前記無線通信機自体の紛失、盗難がなかったとしても、前記通信が傍受された場合に鍵情報が盗まれる危険性があり、セキュリティ性に問題があった。
【０００５】
又、建物のドア解錠、施錠を行う手段としては、生体認証により予め登録された情報との比較を行う場合や、カードや金属製の鍵を使用する方法等がある。
【０００６】
然し乍ら、生体認証や、カード及び金属製の鍵を使用する場合には、直接ドア迄行って認証や解錠、施錠を行う等の動作が必要であり、又カード及び金属製の鍵の紛失、盗難があった場合には、セキュリティ上の都合により、その都度錠を交換する等の処置が必要だった。
【０００７】
又、複数の建物に入る場合、それぞれの建物固有の鍵が必要となり、各建物毎の鍵を所持しなくてはならず、かさばる、或はどの鍵がどの建物のものかわかりにくく煩わしいという問題があった。
【先行技術文献】
【特許文献】
【０００８】
【特許文献１】特開２００３−２５３９４０号公報
【発明の概要】
【発明が解決しようとする課題】
【０００９】
本発明は斯かる実情に鑑み、固有情報である鍵情報を、無線通信システムを使用してランダム情報として定期的に更新することでセキュリティ性を向上させる鍵情報提供システムを提供するものである。
【課題を解決するための手段】
【００１０】
本発明は、位置検出機能を有する無線通信装置と、錠の解錠又は施錠処理を行う錠装置に接続された通信装置と、該通信装置を内包する管理エリアを管理する管理サーバとを具備し、該管理サーバは前記無線通信装置から取得した位置情報に基づき、前記無線通信装置を前記管理エリア内に検出すると、前記無線通信装置と前記通信装置のそれぞれに対応する鍵情報を送信し、前記通信装置が前記管理サーバから受信した鍵情報と対応する鍵情報を前記無線通信装置から受信することで前記錠装置が解錠又は施錠処理を行う鍵情報提供システムに係るものである。
【発明の効果】
【００１１】
本発明によれば、位置検出機能を有する無線通信装置と、錠の解錠又は施錠処理を行う錠装置に接続された通信装置と、該通信装置を内包する管理エリアを管理する管理サーバとを具備し、該管理サーバは前記無線通信装置から取得した位置情報に基づき、前記無線通信装置を前記管理エリア内に検出すると、前記無線通信装置と前記通信装置のそれぞれに対応する鍵情報を送信し、前記通信装置が前記管理サーバから受信した鍵情報と対応する鍵情報を前記無線通信装置から受信することで前記錠装置が解錠又は施錠処理を行うので、特定の前記無線通信装置に対してのみ解錠又は施錠処理を可能とさせることができ、又鍵情報を更新することで鍵情報の複製を困難にする等、セキュリティ性を向上させることができるという優れた効果を発揮する。
【図面の簡単な説明】
【００１２】
【図１】本発明の鍵情報提供システムを示す構成図である。
【図２】本発明に於ける携帯端末の構成を示すブロック図である。
【図３】本発明に於ける管理サーバの構成を示すブロック図である。
【図４】本発明に於ける施設の構成を示すブロック図である。
【図５】本発明に於ける携帯端末の位置情報送信処理を示すフローチャートである。
【図６】本発明に於ける管理サーバの処理を示すフローチャートである。
【図７】本発明に於ける施設が管理サーバから鍵情報を受信した際の処理を示すフローチャートである。
【図８】本発明に於ける施設が携帯端末から鍵情報を受信した際の処理を示すフローチャートである。
【図９】本発明に於ける管理サーバの携帯端末からの位置情報取得周期を変更可能とした際の処理を示すフローチャートである。
【発明を実施するための形態】
【００１３】
以下、図面を参照しつつ本発明の実施例を説明する。
【００１４】
図１は、本発明に於ける鍵情報提供システム１の構成図である。先ず、図１に於いて、該鍵情報提供システム１の概要について説明する。
【００１５】
無線通信装置である携帯端末２はＧＰＳ機能を有し、人工衛星より信号を受信し、現在地を算出している。又、管理サーバ３は、管理エリア４を管理しており、該管理エリア４内に存在する複数の施設５ａ，５ｂ，・・・，５ｎの位置情報が登録されると共に、無線ネットワーク６を介して予め登録されている前記携帯端末２の位置情報を取得し、該携帯端末２と前記施設５に対して鍵情報を送信する機能を有している。
【００１６】
尚、前記管理サーバ３は複数の前記管理エリア４、及び複数の前記携帯端末２を管理する様にしてもよく、前記管理サーバ３と前記施設５の通信装置とは、前記無線ネットワーク６を介さず、有線にて接続してもよい。
【００１７】
以下、例として１つの前記管理サーバ３に対して、前記携帯端末２と前記管理エリア４が１つずつ存在し、該管理エリア４内に前記施設５が複数存在する場合について説明する。
【００１８】
前記管理サーバ３は、定期的に取得する前記携帯端末２の位置情報によって該携帯端末２の所在地を把握し、該携帯端末２が前記管理エリア４内に入ると、前記携帯端末２と目的地である前記施設５に対して互いに対応する鍵情報（前記携帯端末２に対して第１鍵情報、前記施設５に対して第２鍵情報）を送信する。
【００１９】
前記携帯端末２の所有者は、前記施設５に到着した際に、該施設５の通信装置に対して前記管理サーバ３より受信した第１鍵情報を送信することで、前記施設５の扉等の駆動対象物の解錠や施錠、或は開閉が行われる。
【００２０】
次に、図２に於いて、前記携帯端末２の構成について説明する。
【００２１】
該携帯端末２は、衛星より信号を受信し、該信号から現在地を算出するＧＰＳ装置７と、前記管理サーバ３及び前記施設５の通信装置との通信を行う無線部８と、演算処理を行うＣＰＵ９と、ディスプレイ等の表示部１１と、所定数配置されたボタンキー等の操作部１２と記憶部１３とを有し、該記憶部１３は前記管理サーバ３から受信した第１鍵情報を記録するメモリやＨＤＤ等の記憶装置１４と、前記ＧＰＳ装置７によって算出された現在地の情報を無線データに変換するデータ処理プログラム１５を有している。
【００２２】
前記携帯端末２は、前記ＧＰＳ装置７によって衛星から信号を受信し、該信号により現在地の算出を行う。算出した現在地情報を、前記データ処理プログラム１５に従って処理し、無線データに変換した後、前記無線部８より前記管理サーバ３に対して前記携帯端末２の位置情報を送信する。又、前記管理サーバ３より前記施設５の第１鍵情報を受信した際には、該第１鍵情報を前記記憶装置１４に格納し、格納した前記第１鍵情報を前記施設５にて使用することで、該施設５の駆動対象物である錠の解錠又は施錠がなされる。
【００２３】
次に、図３に於いて、前記管理サーバ３について説明する。
【００２４】
該管理サーバ３は、前記携帯端末２及び前記施設５との通信を行う無線部１６と、演算処理を行うＣＰＵ１７と、モニタ等の表示部１８と、マウスやキーボード等の操作部１９と記憶部２１から構成されており、該記憶部２１は周期設定プログラム２２と、位置照合プログラム２３と、距離算出プログラム２４と、目的地判別プログラム２５と、鍵情報生成プログラム２６と、鍵情報暗号化プログラム２７と、メモリやＨＤＤ等の記憶装置２８とを具備している。
【００２５】
前記周期設定プログラム２２は、前記携帯端末２から常時送られてくる現在地の位置情報を、どの様な周期で取得するかを決める機能を有している。
【００２６】
前記位置照合プログラム２３は、前記携帯端末２から送られてきた現在地の位置情報が、該携帯端末２の解錠、施錠、開閉対象である前記施設５が存在する前記管理エリア４内であるかどうかを判別する機能を有している。
【００２７】
又、前記距離算出プログラム２４は、前記位置照合プログラム２３にて対象の前記施設５が存在する前記管理エリア４内であると判別された前記携帯端末２からの位置情報に基づき、前記管理エリア４内に存在する前記施設５ａ，５ｂ，・・・，５ｎとの距離をそれぞれ算出する。
【００２８】
尚、記憶装置２８には、制御対象の携帯端末２の登録番号と、各携帯端末２に鍵情報を送信する施設５の登録番号とが対応づけられて予め記憶されている。前記距離算出プログラム２４は、その対応情報に基づいて、距離を算出する施設を特定している。
【００２９】
又、前記目的地判別プログラム２５は、前記距離算出プログラム２４によって算出された距離を基に、現在地から最も距離の短かった前記施設５を目的地として選択する機能を有している。
【００３０】
前記鍵情報生成プログラム２６は、前記距離算出プログラム２４による前記携帯端末２と前記施設５との距離検出と並行して１対の鍵情報を生成する。
【００３１】
前記鍵情報暗号化プログラム２７は、前記記憶装置２８に格納されている鍵情報を暗号化する為のキーを使用して鍵情報を暗号化する機能を有している。
【００３２】
前記記憶装置２８は、上記の暗号化キーが格納されると共に、前記管理サーバ３の制御対象である前記携帯端末２の登録番号及び前記施設５の位置情報が格納されている。又、前記携帯端末２から直接又は施設５の通信装置から送られてきた解錠／施錠信号、或は開閉信号を使用記録として格納する。
【００３３】
前記管理サーバ３は、定期的に前記携帯端末２の位置情報を取得し、その都度該携帯端末２が制御対象である前記施設５の存在する前記管理エリア４内にあるかどうかを判別している。前記携帯端末２が前記管理エリア４内にあった場合には、前記携帯端末２の位置情報と前記管理エリア４内に存在する前記施設５ａ，５ｂ，・・・，５ｎの位置情報を比較し、最も近い前記施設５を目的地として選択する。又、位置情報の比較と並行して鍵情報を生成、暗号化し、前記目的地判別プログラム２５により目的地決定後に前記ＣＰＵ１７は前記無線部１６により、前記携帯端末２と目的地である前記施設５に対応する鍵情報をそれぞれ送信する。該鍵情報送信後は、予め設定された周期に従って再び前記携帯端末２の位置情報を取得し、前記管理エリア４内に前記携帯端末２が存在していれば、鍵情報を生成、暗号化し、前記携帯端末２と前記施設５に送信する処理を繰返し行う。
【００３４】
又、前記携帯端末２によって前記施設５が解錠又は施錠された際には、前記携帯端末２又は前記施設５より使用信号が発せられ、前記記憶装置２８に使用記録として格納される。
【００３５】
尚、前記管理サーバ３は、鍵情報を暗号化しなくても動作可能であるが、セキュリティ性の向上の為、鍵情報は暗号化することが望ましい。又、更にセキュリティ性を向上させる手段として、前記鍵情報を使用する際にパスワードが要求される様にしてもよい。該パスワードは、紙媒体等オフラインで前記携帯端末２の所有者に通知することで、盗難や紛失にあった際に悪用される確率を著しく低下させることができる。
【００３６】
尚、前記管理サーバ３からの第１鍵情報と第２鍵情報の生成、送信は、前記携帯端末２からの要求によって行うことも可能である。この時、前記管理サーバ３は新たに鍵情報を生成、送信してもよいし、前回送信した鍵情報を再度送信してもよい。
【００３７】
次に、図４に於いて、目的地である施設５について説明する。
【００３８】
該施設５は、前記携帯端末２や前記管理サーバ３との通信を行う通信装置２９と、解錠／施錠、或は開閉が行われる駆動対象物を具備する錠装置３１とで構成されている。
【００３９】
前記通信装置２９は前記携帯端末２と前記管理サーバ３から第１鍵情報と第２鍵情報を受信し、前記携帯端末２の第１鍵情報が使用された際に使用信号を前記管理サーバ３に対して送信する無線部３２と、演算処理を行うＣＰＵ３３と、該ＣＰＵ３３に接続されたタイマ３４と、ディスプレイ等の表示部３５と、所定数配置されたボタンキーやタッチパネル等の操作部３６と、前記錠装置３１に対して命令を出す出力部３７と、記憶部３８とから構成されている。
【００４０】
該記憶部３８はＨＤＤやメモリ等の記憶装置３９、鍵情報更新プログラム４１、暗号化解除プログラム４２、鍵情報照合プログラム４３を有している。前記記憶装置３９には前記管理サーバ３より送られてきた第２鍵情報が順次格納され、前記鍵情報更新プログラム４１は前記タイマ３４に起動信号と設定時間を送信し、該タイマ３４からの終了信号により前記管理サーバ３からの第２鍵情報を前記記憶装置３９の中から順次削除していく機能を有している。
【００４１】
又、前記暗号化解除プログラム４２は暗号化された第１鍵情報と第２鍵情報を解除する機能を有しており、前記鍵情報照合プログラム４３は、前記通信装置２９が前記携帯端末２からの第１鍵情報を受信した際に、前記記憶装置３９の中に対応する第２鍵情報があるかどうかを検索し、あった場合には、前記出力部３７に対して解錠又は施錠の命令を出す機能を有している。
【００４２】
前記通信装置２９は、前記管理サーバ３から第２鍵情報を受信すると、該第２鍵情報は前記暗号化解除プログラム４２によって、暗号化を解除され、解除された前記第２鍵情報を前記記憶装置３９に格納すると共に、前記タイマ３４に対して予め設定された時間の設定値と共に開始信号が発せられる。設定された時間が経過すると、前記タイマ３４より終了信号が発せられ、前記鍵情報更新プログラム４１が前記終了信号に従って前記記憶装置３９の中から該当する第２鍵情報を削除する。この処理は前記管理サーバ３からの第２鍵情報の受信の頻度に拘らず行われ、受信した第２鍵情報は前記暗号化解除プログラム４２によって暗号化を解除された後に前記記憶装置３９に順次格納され、一定時間経過後に前記鍵情報更新プログラム４１によって順次削除されていく。尚、記憶装置３９をＦＩＦＯ（Ｆｉｒｓｔ  Ｉｎ  Ｆｉｒｓｔ  Ｏｕｔ）メモリとしてもよい。
【００４３】
上記処理中に、前記携帯端末２からの第１鍵情報を受信すると、前記暗号化解除プログラム４２によって暗号化を解除された後、前記鍵情報照合プログラム４３が受信した第１鍵情報に対応する第２鍵情報を前記記憶装置３９の中から検索し、対応する第２鍵情報が存在した場合には、前記出力部３７に対して解錠又は施錠の命令を出すと共に、前記無線部３２を介して前記管理サーバ３に前記携帯端末２の使用信号が送信される。
【００４４】
次に、図５に於いて、フローチャートを用いて前記携帯端末２の処理について説明する。
【００４５】
先ず、該携帯端末２の電源を投入することで、該携帯端末２が起動する。
【００４６】
ＳＴＥＰ：０１  該携帯端末２が起動すると、前記ＧＰＳ装置７が具備するＧＰＳ受信機が、衛星からのＧＰＳ信号を受信する。
【００４７】
ＳＴＥＰ：０２  衛星より受信された該ＧＰＳ信号は、前記ＧＰＳ装置７が具備する演算処理部により演算処理され、前記携帯端末２の現在地が算出される。
【００４８】
ＳＴＥＰ：０３  該携帯端末２の現在地が算出されると、次に前記データ処理プログラム１５により、無線にて送信可能なデータへと変換される。
【００４９】
ＳＴＥＰ：０４  該データ処理プログラム１５によって変換された前記携帯端末２の現在地の位置情報が、前記無線部８より前記管理サーバ３へと送信される。
【００５０】
尚、上記ＳＴＥＰ：０１〜ＳＴＥＰ：０４は、前記携帯端末２の電源を投入することで自動的に行われ、電源を切る迄前記携帯端末２の現在地の位置情報を前記管理サーバ３に対して定期的に送信している。又、前記携帯端末２は、前記管理サーバ３からの要求に応じて、位置情報を送信してもよい。
【００５１】
又、図示はしていないが、前記携帯端末２は前記管理サーバ３から暗号化された第１鍵情報を受信し、前記記憶装置１４に格納する。尚、前記管理サーバ３から第１鍵情報を受信した際に、既に記憶装置１４に別の第１鍵情報が格納されていた場合には、既に格納されていた第１鍵情報を新たに受信した第１鍵情報で上書きする。
【００５２】
次に、図６に於いて、フローチャートを用いて前記管理サーバ３の処理について説明する。
【００５３】
該管理サーバ３は、電源が投入されることで起動し、起動と同時に処理が開始される。
【００５４】
ＳＴＥＰ：１１、ＳＴＥＰ：１２  該管理サーバ３は、予め設定された前記周期設定プログラム２２に従って、前記携帯端末２より常時送られてくる位置情報を定期的に取得する。尚、該管理サーバ３は、前記周期設定プログラム２２に従って、前記携帯端末２に位置情報の要求信号を定期的に送信して、前記携帯端末２から位置情報を得てもよい。
【００５５】
ＳＴＥＰ：１３  前記携帯端末２から取得した位置情報を基に、前記位置照合プログラム２３は、前記携帯端末２が制御対象である前記施設５の存在する前記管理エリア４内にあるかどうかを判別している。前記携帯端末２が前記管理エリア４内にないと判別された場合には、ＳＴＥＰ：１１に戻り、前記周期設定プログラム２２に従って前記携帯端末２の位置情報を取得し、再度前記位置照合プログラム２３によって前記管理エリア４内にあるかどうかが判別される。
【００５６】
ＳＴＥＰ：１４  前記位置照合プログラム２３によって前記携帯端末２が前記管理エリア４内にあると判別された場合には、前記距離算出プログラム２４によって、前記携帯端末２と、予め前記記憶装置２８に記録された前記携帯端末２の制御対象である前記施設５ａ，５ｂ，・・・，５ｎとの距離をそれぞれ算出する。又、該施設５ａ，５ｂ，・・・，５ｎとの距離算出と並行して、前記管理サーバ３は前記鍵情報生成プログラム２６が１対の鍵情報、即ち第１鍵情報と第２鍵情報を生成し、該生成された第１鍵情報と第２鍵情報は、前記鍵情報暗号化プログラム２７により、前記記憶装置２８に格納されている暗号化キーを基にそれぞれ暗号化される。
【００５７】
ＳＴＥＰ：１５  前記距離算出プログラム２４により、前記各施設５ａ，５ｂ，・・・，５ｎのそれぞれとの距離が算出されると、前記目的地判別プログラム２５により、前記各施設５ａ，５ｂ，・・・，５ｎの中で最も距離の近かった前記施設５が目的地に決定される。
【００５８】
ＳＴＥＰ：１６  目的地が決定すると、前記管理サーバ３は前記携帯端末２と前記施設５に対して、前記鍵情報生成プログラム２６と前記鍵情報暗号化プログラム２７によって生成、暗号化された第１鍵情報と第２鍵情報をそれぞれ送信する。鍵情報送信後、再びＳＴＥＰ：１１に戻り、以後前記管理サーバ３の電源が落される迄ＳＴＥＰ：１１〜ＳＴＥＰ：１６の処理が繰返される。
【００５９】
次に、図７、図８に於いて、フローチャートを用いて目的地である前記施設５の処理について説明する。図７は前記管理サーバ３から第２鍵情報を受信した際のフローチャートを示しており、図８は前記携帯端末２から第１鍵情報を受信した際のフローチャートを示している。
【００６０】
ＳＴＥＰ：２１  前記施設５が具備する前記通信装置２９及び前記錠装置３１は既に電源が入った状態であり、前記管理サーバ３から第２鍵情報を受信した段階で処理が開始される。
【００６１】
ＳＴＥＰ：２２  前記通信装置２９が前記無線部３２から第２鍵情報を受信すると、前記鍵情報更新プログラム４１が立上がり、前記タイマ３４に対して起動信号と共に、予め設定されていた設定時間、例えば５分が送信されることで前記タイマ３４が起動する。
【００６２】
ＳＴＥＰ：２３  前記無線部３２が受信した第２鍵情報は、前記暗号化解除プログラム４２によって暗号化が解除される。
【００６３】
ＳＴＥＰ：２４  暗号化が解除された第２鍵情報は、前記記憶装置３９に格納される。
【００６４】
ＳＴＥＰ：２５  前記タイマ３４に対して起動信号を送信してから所定時間、例えば５分が経過すると、該タイマ３４は前記鍵情報更新プログラム４１に終了信号を送信し、終了する。
【００６５】
ＳＴＥＰ：２６  前記鍵情報更新プログラム４１は、前記タイマ３４からの信号に従って、前記記憶装置３９に格納されている第２鍵情報を削除する。
【００６６】
尚、上記処理は第２鍵情報を受信する度に実行され、処理速度や更新速度は第２鍵情報の受信頻度に影響されることはない。
【００６７】
次に、前記通信装置２９が前記携帯端末２から第１鍵情報を受信した場合について説明する。
【００６８】
ＳＴＥＰ：３１  図７の場合と同様、前記施設５が具備する前記通信装置２９及び前記錠装置３１は既に電源が入った状態であり、前記携帯端末２から第１鍵情報を受信した段階で処理が開始される。
【００６９】
ＳＴＥＰ：３２  第１鍵情報が前記無線部３２より受信されると、先ず前記暗号化解除プログラム４２が立上がり、第１鍵情報の暗号化が解除される。
【００７０】
ＳＴＥＰ：３３  第１鍵情報の暗号化を解除した後、前記鍵情報照合プログラム４３が前記記憶装置３９に格納された第２鍵情報を検索する。
【００７１】
ＳＴＥＰ：３４  第２鍵情報の検索後、前記鍵情報照合プログラム４３は検索された第２鍵情報の中に受信した第１鍵情報と対応する第２鍵情報があるかどうかを判別する。
【００７２】
ＳＴＥＰ：３５  対応する第２鍵情報が存在しなかった場合には、その段階で処理が終了し、存在した場合には、前記出力部３７を介して前記錠装置３１に前記携帯端末２からの要求通り、解錠又は施錠等の命令を出し、前記錠装置３１は前記通信装置２９からの命令に従って処理を行う。
【００７３】
ＳＴＥＰ：３６  前記錠装置３１への命令通知後、前記無線部３２より前記管理サーバ３に対して解錠又は施錠等の処理信号が送信され、処理が完了する。
【００７４】
上述の様に、前記携帯端末２は、前記管理サーバ３に登録さえしていれば該管理サーバ３の管理する複数の前記施設５に対して使用することができるので、該各施設５毎の鍵を持歩く必要がなくなり、複数の鍵を所持する煩雑さを解消できる。
【００７５】
又、前記施設５に於いて、新たな第２鍵情報を取得するとすぐに古い第２鍵情報を削除するのではなく、一定時間例えば５分程度保持し、有効鍵とすることで、前記携帯端末２又は前記施設５が鍵情報を受信できなかった為に前記携帯端末２と前記施設５に於ける鍵情報の受信状況がずれ、前記携帯端末２の持つ第１鍵情報と前記施設５の持つ第２鍵情報とにずれが生じた場合でも認証可能とすることができる。
【００７６】
又、第１鍵情報を受信する前記携帯端末２を紛失、盗難、或は複製した場合でも、前記管理サーバ３から前記携帯端末２の登録を削除することで該携帯端末２を無効にでき、更に第１鍵情報はランダムな鍵情報として定期的に更新されるので、大幅にセキュリティ性を向上させることができる。
【００７７】
又、前記管理サーバ３から前記携帯端末２の登録を削除すれば、対象の前記施設５に対して前記携帯端末２を使用することができなくなるので、該携帯端末２の使用者が変った場合でも前記錠装置３１を錠ごと変える必要がなくなり、コストの削減を図ることができる。
【００７８】
次に、図９に於いて、本実施例の変形例として、前記管理サーバ３が前記携帯端末２の位置情報を取得する周期を変更する方法について、フローチャートを用いて説明する。
【００７９】
ＳＴＥＰ：４１、ＳＴＥＰ：４２  前記管理サーバ３は、予め取得周期が設定された前記周期設定プログラム２２に従って、前記携帯端末２より常時送られてくる初期情報である位置情報Ａを定期的に取得する。
【００８０】
ＳＴＥＰ：４３  前記携帯端末２から取得した位置情報Ａを基に、前記位置照合プログラム２３は、前記携帯端末２が制御対象である前記施設５の存在する前記管理エリア４内にあるかどうかを判別する。前記携帯端末２が前記管理エリア４内にないと判別された場合には、位置情報Ａを破棄した後にＳＴＥＰ：４１に戻り、前記周期設定プログラム２２に従って一定時間経過後に前記携帯端末２の位置情報Ａを取得し、再度前記位置照合プログラム２３によって前記管理エリア４内にあるかどうかが判別される。
【００８１】
ＳＴＥＰ：４４  前記位置照合プログラム２３によって前記携帯端末２が前記管理エリア４内にあると判別された場合には、位置情報Ａを前記記憶装置２８に保持し、保持した位置情報Ａを基に前記距離算出プログラム２４によって、前記携帯端末２と、予め前記記憶装置２８に記録された前記携帯端末２の制御対象である前記施設５ａ，５ｂ，・・・，５ｎとの距離をそれぞれ算出する。
【００８２】
ＳＴＥＰ：４５  前記距離算出プログラム２４により、前記各施設５ａ，５ｂ，・・・，５ｎのそれぞれとの距離が算出されると、前記目的地判別プログラム２５により、前記各施設５ａ，５ｂ，・・・，５ｎの中で最も距離の近かった前記施設５が目的地に決定される。
【００８３】
ＳＴＥＰ：４６、ＳＴＥＰ：４７  目的地決定後、前記管理サーバ３は前記周期設定プログラム２２に従って一定時間経過後に前記携帯端末２の位置情報Ｂを取得する。
【００８４】
ＳＴＥＰ：４８  前記携帯端末２から取得した位置情報Ｂを基に、前記位置照合プログラム２３は、前記携帯端末２が前記管理エリア４内にあるかどうかを判別する。前記携帯端末２が前記管理エリア４内にないと判別された場合には、前記記憶装置２８に格納された位置情報Ａと取得した位置情報Ｂを破棄した後にＳＴＥＰ：４１に戻り、前記周期設定プログラム２２に従って一定時間経過後に前記携帯端末２の位置情報Ａを取得し、再度前記位置照合プログラム２３によって前記管理エリア４内にあるかどうかが判別される。
【００８５】
ＳＴＥＰ：４９  前記位置照合プログラム２３によって位置情報Ｂが前記管理エリア４内であると判別された場合には、位置情報Ａと同様、位置情報Ｂも前記記憶装置２８に格納され、図示しない比較プログラムによって位置情報Ａと位置情報Ｂが比較される。
【００８６】
ＳＴＥＰ：５０  前記比較プログラムにより、前記携帯端末２の移動速度が予め設定していた所定値よりも速いか、或は前記携帯端末２の所在地が予め設定していた所定値よりも目的地に近いかどうかが判別される。比較の結果、速度と所在地が共に所定値の範囲内であった場合には、前記記憶装置２８に格納されている位置情報Ａを破棄し、前記周期設定プログラム２２に従って一定時間経過後に前記携帯端末２の位置情報Ｃを取得し、位置情報Ｃが前記管理エリア４内であるかどうかの判別、及び位置情報Ｂと位置情報Ｃとの比較が行われる。
【００８７】
ＳＴＥＰ：５１  位置情報Ａと位置情報Ｂの比較結果が前記携帯端末２の移動速度が予め設定していた所定値よりも速い、或は前記携帯端末２の所在地が予め設定していた所定値よりも目的地に近いの何れか、又は両方を満たした場合には、前記周期設定プログラム２２が比較結果に基づいて前記携帯端末２の位置情報取得周期、即ち位置情報を取得する周期が短くなる様に変更する。
【００８８】
尚、上記ＳＴＥＰ：４１〜ＳＴＥＰ：５１の処理は、図６のＳＴＥＰ：１１〜ＳＴＥＰ：１６と並行して行われる。
【００８９】
上述の様に、前記携帯端末２の移動速度や目的地迄の距離に応じて、該携帯端末２の位置情報の取得周期を変更可能としたので、目的地付近では第１鍵情報、第２鍵情報の送信周期を早めることでセキュリティ性を向上させ、目的地から離れていれば第１鍵情報と第２鍵情報の送信周期を遅くし、前記管理サーバ３への負担を軽減させる等、該管理サーバ３の運用効率の向上を図ることができる。
【００９０】
尚、本発明は上述した実施例に限定されるものではなく、本発明の趣旨を逸脱しない範囲で種々変形することができる。
【００９１】
例えば、上述した実施例では、前記施設５の前記通信装置２９が前記携帯端末２から第１鍵情報を受信し、自身が保持する第２鍵情報と照合する場合を例に挙げて説明した。然し、前記施設５の前記錠装置３１が前記携帯端末２から第１鍵情報を受信する受信部を備え、前記錠装置３１が、前記通信装置２９が前記管理サーバ３から受信した第２鍵情報と、前記携帯端末２から受信した第１鍵情報とを照合する様に構成してもよい。
【００９２】
又、上述した実施例では、前記管理サーバ３の前記目的地判別プログラム２５が、複数の前記施設５から一つの前記施設５を目的地として特定する場合を例に挙げて説明した。然し、前記目的地判別プログラム２５は前記距離算出プログラム２４によって算出された距離が所定値以内の前記施設５をすべて目的地として判別し、前記管理サーバ３はそれら複数の前記施設５に対してそれぞれ第２鍵情報を送信する様に構成してもよい。尚、その場合、前記施設５毎に異なる第２鍵情報を送信し、前記携帯端末２にはそれぞれの第２鍵情報に対応した複数の第１鍵情報を送信してもよい。
【００９３】
更に、上述した実施例では、一つの前記管理エリア４内に複数の前記施設５が存在する場合を例に挙げて説明した。然し、本発明はこれに限定されるものではなく、一つの前記施設５を中心に一つの前記管理エリア４が設定されていてもよい。この場合、前記管理サーバ３の目的地判別プログラム２５は複数の前記管理エリア４の前記施設５の中から最も近い一つの前記施設５を目的地として判別してもよいし、上述した様に複数の前記施設５を目的地として判別してもよい。
【００９４】
尚、前記管理サーバ３の前記位置照合プログラム２３の判別は、位置情報（座標情報）に基づいて前記管理エリア４内であるか否かを判別してもよいし、前記距離算出プログラム２４によって予め算出された距離に応じて前記管理エリア４内であるか否かを判別してもよい。
【００９５】
又、上述した図９のＳＴＥＰ：４３に於ける前記管理エリア４内か否かの判別結果に応じて、前記携帯端末２から位置情報を取得する周期を変更してもよい。例えば、前記管理エリア４外である場合の第１周期と、前記管理エリア４内である場合の第１周期よりも短い第２周期とを予め記憶し、ＳＴＥＰ：４３の判別結果に応じて、その後の周期を変更してもよい。
【符号の説明】
【００９６】
１              鍵情報提供システム
２              携帯端末
３              管理サーバ
４              管理エリア
５              施設
７              ＧＰＳ装置
８              無線部
１３            記憶部
１６            無線部
２１            記憶部
２９            通信装置
３１            錠装置
３２            無線部
３８            記憶部
【図１】
2010226435.tif 000003
【図２】
2010226435.tif 000004
【図３】
2010226435.tif 000005
【図４】
2010226435.tif 000006
【図５】
2010226435.tif 000007
【図６】
2010226435.tif 000008
【図７】
2010226435.tif 000009
【図８】
2010226435.tif 000010
【図９】
2010226435.tif 000011